(57)【要約】  【課題】  導入コストを抑えることができると共に、発表者が参照する画像と聴講者が参照する画像とを個別に表示することができる表示システム、画像変換装置、及びプロジェクタの提供。  【解決手段】  画像変換装置は、パーソナルコンピュータ等の情報処理装置を用いて作成された参照用画像に基づく映像信号を取込み（Ｓ１）、取込んだ映像信号から生成される画像データに対して、予め記憶された特定に色を持つ画素を背景色等の色に変換するフィルタリング処理を行い（Ｓ２）、次いで、予め定められた領域の画像を切り出すトリミング処理を行い（Ｓ３）、切り出すことによって縮小した画像を拡大するリサイズ処理を行う（Ｓ４）。そして、リサイズ処理された画像を映像信号としてプロジェクタ等の表示装置へ出力し（Ｓ５）、プロジェクタにより前記映像信号に基づく映像を表示する。【選択図】        図４
2005115093.tif 000002
【特許請求の範囲】
【請求項１】
複数の情報を受付け、受付けた情報に基づいて表示すべき情報を複数含む画像データを生成し、生成した画像データを外部へ出力する画像生成装置と、該画像生成装置が出力した画像データを表示する表示装置とを備える表示システムにおいて、
前記画像生成装置及び表示装置へ接続された画像変換装置を備え、該画像変換装置は、前記画像生成装置が出力した画像データを取込む手段と、取込んだ画像データに基づいて前記表示装置に表示させるべき情報のうち一部の情報を消去した画像データを生成する生成手段と、該生成手段が生成した画像データを前記表示装置へ出力する手段とを備えることを特徴とする表示システム。
【請求項２】
前記画像変換装置は、画像データの表示領域に係る領域情報を記憶する手段を備え、前記生成手段は、取込んだ画像データの一部を前記領域情報に基づいて消去すべくなしてあることを特徴とする請求項１に記載の表示システム。
【請求項３】
前記画像変換装置は、第１及び第２の色情報を記憶する手段を備え、前記生成手段は、取込んだ画像データから前記第１の色情報を有する画素を検出する手段と、該手段が検出した画素の色情報を前記第２の色情報に変換する手段とを備えることを特徴とする請求項１又は請求項２に記載の表示システム。
【請求項４】
複数の情報を受付け、受付けた情報に基づいて表示すべき情報を複数含む画像データを生成し、生成した画像データを外部へ出力する画像生成装置と、該画像生成装置が出力した画像データを表示する表示装置とを備える表示システムにおいて、
前記表示装置は、前記画像生成装置が出力した画像データに基づいて表示すべき情報のうち一部の情報を消去した画像データを生成する生成手段を備え、該生成手段が生成した画像データを表示すべくなしてあることを特徴とする表示システム。
【請求項５】
前記表示装置は、画像データを所定面上に投影するプロジェクタであることを特徴とする請求項１乃至請求項４の何れかに記載の表示システム。
【請求項６】
外部から取込んだ画像データに対して所定の画像変換処理を施し、画像変換処理を施した画像データを出力する画像変換装置において、
表示すべき情報を複数含んだ表示用の画像データを取込むべくなしてあり、取込んだ画像データに基づいて前記情報のうち一部の情報を消去した画像データを生成する生成手段を備えることを特徴とする画像変換装置。
【請求項７】
画像データの表示領域に係る領域情報を記憶する手段を備え、前記生成手段は、取込んだ画像データの一部を前記領域情報に基づいて消去すべくなしてあることを特徴とする請求項６に記載の画像変換装置。
【請求項８】
第１及び第２の色情報を記憶する手段を備え、前記生成手段は、取込んだ画像データから前記第１の色情報を有する画素を検出する手段と、該手段が検出した画素の色情報を前記第２の色情報に変換する手段とを備えることを特徴とする請求項６又は請求項７に記載の画像変換装置。
【請求項９】
外部から画像データを取込み、取込んだ画像データを所定面上に投影するプロジェクタにおいて、
表示すべき情報を複数含んだ表示用の画像データを取込むべくなしてあり、取込んだ画像データに基づいて前記情報のうち一部の情報を消去した画像データを生成する生成手段を備えることを特徴とするプロジェクタ。
【発明の詳細な説明】
【技術分野】
【０００１】
本発明は、プレゼンテーション等において画像を表示する表示システム、該表示システムで利用される画像変換装置、及びプロジェクタに関する。
【背景技術】
【０００２】
従来、会議、講演等のプレゼンテーションの場において、パーソナルコンピュータのような情報処理装置にて作成した画像（又は映像）を多数の者に提示する必要がある場合、光学的手法により画像をスクリーン上に拡大投影することができるプロジェクタが利用されている。このような情報処理装置とプロジェクタとからなる表示システムでは、発表者は情報処理装置を利用して予め画像を作成しておき、プレゼンテーションを行う際に画像を情報処理装置の表示部に表示させると共に、作成した画像データをプロジェクタに出力し、スクリーン上に画像を投影させていた。すなわち、発表者用の画像と聴講者用の画像とを両装置間で同期させており、発表者は情報処理装置の表示部に表示される画像、及びスクリーン上に表示された画像を見ながらプレゼンテーションを進めることができる。
【０００３】
しかしながら、前述の表示システムでは、発表者用の画像と聴講者用の画像とを同一にしているため、表示された画像について発表者が説明を行う場合、発表者が別に用意した説明に関するメモ等を見ながら、又は記憶を頼りにして説明を実施しなければならず、説明不足、言い忘れ等が生じる虞が生じていた。そこで、斯かる問題点を解消するために、予め発表用の画像と説明用の画像とを情報処理装置を用いて作成しておき、プレゼンテーションを実施する際、発表者に提示する画像として両者を合成した画像を生成して情報処理装置の表示部に表示し、聴講者に提示する画像としては発表用の画像をそのまま利用する表示装置が提案されている（例えば、特許文献１参照）。
【特許文献１】特開昭６３−２５０７２２号公報
【発明の開示】
【発明が解決しようとする課題】
【０００４】
しかしながら、特許文献１に記載された表示装置では、発表者自身が予め２種類の画像、すなわち、発表用の画像と説明用の画像とを準備しておかなければならないため、画像の数が増えるにつれて画像の管理が煩雑になるという問題点を有している。また、発表者は、説明用の画像を作成する際に、発表用の画像に重ならないような領域を考慮した上で説明用の画像を作成しなければならないため、手間がかかるという問題点を有している。また、従来型のプロジェクタを所有している場合であってもそのプロジェクタを活用することができず、新たに表示装置を導入しなければならないため導入コストがかかるという問題点を有している。
【０００５】
本発明は斯かる事情に鑑みてなされたものであり、画像生成装置及び表示装置に接続された画像変換装置を備え、画像変換装置にて画像生成装置が出力した画像データを取込み、取込んだ画像データに基づいて表示装置に表示させるべき情報の一部を消去する構成とすることにより、発表者が作成した画像に基づいて円滑な発表を実施させることができ、導入コストを軽減することができる表示システム、該表示システムで利用される画像変換装置、及びプロジェクタを提供することを目的とする。
【課題を解決するための手段】
【０００６】
第１発明に係る表示システムは、複数の情報を受付け、受付けた情報に基づいて表示すべき情報を複数含む画像データを生成し、生成した画像データを外部へ出力する画像生成装置と、該画像生成装置が出力した画像データを表示する表示装置とを備える表示システムにおいて、前記画像生成装置及び表示装置へ接続された画像変換装置を備え、該画像変換装置は、前記画像生成装置が出力した画像データを取込む手段と、取込んだ画像データに基づいて前記表示装置に表示させるべき情報のうち一部の情報を消去した画像データを生成する生成手段と、該生成手段が生成した画像データを前記表示装置へ出力する手段とを備えることを特徴とする。
【０００７】
第１発明にあっては、外部から取込んだ画像データに基づいて表示すべき情報の一部を消去した画像データを生成し、生成した画像データを表示装置に出力するようにしているため、例えば、会議、講演等のプレゼンテーションを実施する場合において、発表内容の説明、注釈等の補助的な情報が加えられた画像のうち、発表者自身には補助的な情報を含めた画像が提示され、聴講者には補助的な情報を消去した画像が提示される。また、パーソナルコンピュータのような画像生成装置とプロジェクタのような表示装置との間に接続されるため、従来の表示システムを活用することが可能となり、導入コストが軽減される。
【０００８】
第２発明に係る表示システムは、第１発明に係る表示システムにおいて、前記画像変換装置は、画像データの表示領域に係る領域情報を記憶する手段を備え、前記生成手段は、取込んだ画像データの一部を前記領域情報に基づいて消去すべくなしてあることを特徴とする。
【０００９】
第２発明にあっては、取込んだ画像データの一部を予め記憶してある領域情報に基づいて消去するようにしているため、前記領域情報に対応した表示領域の画像を消去した上で、聴講者用の画像を表示することが可能となる。
【００１０】
第３発明に係る表示システムは、第１発明又は第２発明において、前記画像変換装置は、第１及び第２の色情報を記憶する手段を備え、前記生成手段は、取込んだ画像データから前記第１の色情報を有する画素を検出する手段と、該手段が検出した画素の色情報を前記第２の色情報に変換する手段とを備えることを特徴とする。
【００１１】
第３発明にあっては、取込んだ画像データから第１の色情報を有する画素を検出し、検出した画像の色情報を第２の色情報で変換するようにしてあるため、例えば、特定の色で作成された補助的な情報を背景色と同化させることが可能となり、聴講者には補助的な情報が消去された画像が提示される。
【００１２】
第４発明に係る表示システムは、複数の情報を受付け、受付けた情報に基づいて表示すべき情報を複数含む画像データを生成し、生成した画像データを外部へ出力する画像生成装置と、該画像生成装置が出力した画像データを表示する表示装置とを備える表示システムにおいて、前記表示装置は、前記画像生成装置が出力した画像データに基づいて表示すべき情報のうち一部の情報を消去した画像データを生成する生成手段を備え、該生成手段が生成した画像データを表示すべくなしてあることを特徴とする。
【００１３】
第４発明にあっては、外部から取込んだ画像データに基づいて表示すべき情報の一部を消去した画像データを生成し、生成した画像データを表示装置に出力するようにしているため、例えば、会議、講演等のプレゼンテーションを実施する場合において、発表内容の説明、注釈等の補助的な情報が加えられた画像のうち、発表者自身には補助的な情報を含めた画像が提示され、聴講者には補助的な情報を消去した画像が提示される。
【００１４】
第５発明に係る表示システムは、第１発明乃至第４発明の何れかの表示システムにおいて、前記表示装置は、画像データを所定面上に投影するプロジェクタであることを特徴とする。
【００１５】
第５発明にあっては、表示装置としては、画像データを所定面上に投影するプロジェクタを採用しているため、従来のプロジェクタを利用したプレゼンテーションが可能となる。
【００１６】
第６発明に係る画像変換装置は、外部から取込んだ画像データに対して所定の画像変換処理を施し、画像変換処理を施した画像データを出力する画像変換装置において、表示すべき情報を複数含んだ表示用の画像データを取込むべくなしてあり、取込んだ画像データに基づいて前記情報のうち一部の情報を消去した画像データを生成する生成手段を備えることを特徴とする。
【００１７】
第６発明にあっては、外部から取込んだ画像データに基づいて表示すべき情報の一部を消去した画像データを生成し、生成した画像データを表示装置に出力するようにしているため、例えば、会議、講演等のプレゼンテーションを実施する場合において、発表内容の説明、注釈等の補助的な情報が加えられた画像のうち、発表者自身には補助的な情報を含めた画像が提示され、聴講者には補助的な情報を消去した画像が提示される。
【００１８】
第７発明に係る画像変換装置は、第６発明に係る画像変換装置において、画像データの表示領域に係る領域情報を記憶する手段を備え、前記生成手段は、取込んだ画像データの一部を前記領域情報に基づいて消去すべくなしてあることを特徴とする。
【００１９】
第７発明にあっては、取込んだ画像データの一部を予め記憶してある領域情報に基づいて消去するようにしているため、前記領域情報に対応した表示領域の画像を消去した上で、聴講者用の画像を表示することが可能となる。
【００２０】
第８発明に係る画像変換装置は、第６発明又は第７発明に係る画像変換装置において、第１及び第２の色情報を記憶する手段を備え、前記生成手段は、取込んだ画像データから前記第１の色情報を有する画素を検出する手段と、該手段が検出した画素の色情報を前記第２の色情報に変換する手段とを備えることを特徴とする。
【００２１】
第８発明にあっては、取込んだ画像データから第１の色情報を有する画素を検出し、検出した画像の色情報を第２の色情報で変換するようにしてあるため、例えば、特定の色で作成された補助的な情報を背景色と同化させることが可能となり、聴講者には補助的な情報が消去された画像が提示される。
【００２２】
第９発明に係るプロジェクタは、外部から画像データを取込み、取込んだ画像データを所定面上に投影するプロジェクタにおいて、表示すべき情報を複数含んだ表示用の画像データを取込むべくなしてあり、取込んだ画像データに基づいて前記情報のうち一部の情報を消去した画像データを生成する生成手段を備えることを特徴とする。
【００２３】
第９発明にあっては、外部から取込んだ画像データに基づいて表示すべき情報の一部を消去した画像データを生成し、生成した画像データを表示装置に出力するようにしているため、例えば、会議、講演等のプレゼンテーションを実施する場合において、発表内容の説明、注釈等の補助的な情報が加えられた画像のうち、発表者自身には補助的な情報を含めた画像が提示され、聴講者には補助的な情報を消去した画像が提示される。
【発明の効果】
【００２４】
第１発明、第４発明、第６発明、及び第９発明による場合は、外部から取込んだ画像データに基づいて表示すべき情報の一部を消去した画像データを生成し、生成した画像データを表示装置に出力するようにしているため、例えば、会議、講演等のプレゼンテーションを実施する場合において、発表内容の説明、注釈等の補助的な情報が加えられた画像のうち、発表者自身には補助的な情報を含めた画像を提示することができると共に、聴講者には補助的な情報を消去した画像を提示することができ、円滑に発表を進めることが可能となる。また、パーソナルコンピュータのような画像生成装置とプロジェクタのような表示装置との間に接続する場合には、従来の表示システムを活用することが可能となり、導入コストを軽減することができる。
【００２５】
第２発明及び第７発明による場合には、取込んだ画像データの一部を予め記憶してある領域情報に基づいて消去するようにしているため、前記領域情報に対応した表示領域の画像を消去した上で、聴講者用の画像を表示することができる。
【００２６】
第３発明及び第８発明による場合は、取込んだ画像データから第１の色情報を有する画素を検出し、検出した画像の色情報を第２の色情報で変換するようにしてあるため、例えば、特定の色で作成された補助的な情報を背景色と同化させることが可能となり、聴講者には補助的な情報が消去された画像の提示が可能となる。
【００２７】
第５発明による場合は、表示装置としては、画像データを所定面上に投影するプロジェクタを採用しているため、従来のプロジェクタを利用したプレゼンテーションが可能となる。
【発明を実施するための最良の形態】
【００２８】
以下、本発明をその実施の形態を示す図面に基づいて具体的に説明する。
実施の形態１．
図１は本実施の形態に係る表示システムの構成を示す模式図である。図中１０は、パーソナルコンピュータ等の情報処理装置であり、該情報処理装置１０には映像信号ケーブルＣ１を介して画像変換装置３０が接続されており、該画像変換装置３０には映像信号ケーブルＣ２を介してプロジェクタ２０が接続されている。情報処理装置１０には、例えば、プレゼンテーション用のアプリケーションプログラムが予めインストールされており、利用者は当該アプリケーションプログラムを使用することにより、プロジェクタ２０を通じてスクリーン上に投影する画像（以下、投影用画像と称する）の基礎となる画像（以下、参照用画像と称する）を作成することができる。参照用画像を作成する際、利用者自身がプレゼンテーションのときに参照する補助的な情報を含めることができる。情報処理装置１０は、作成された参照用画像のデータに基づいてＲＧＢ信号、ＴＭＤＳ信号（TMDS : Transmission Minimized Differential Signaling）、ＬＶＤＳ信号（LVDS : Low Voltage Differential Signaling）等の映像信号を生成し、生成した映像信号を自身が備えるモニタモジュール（不図示）に送出して参照用画像をモニタに表示すると共に、前記映像信号を映像信号ケーブルＣ１を介して画像変換装置３０に送出する。画像変換装置３０では、情報処理装置１０からの映像信号を各フレーム毎の画像データとして一時的に保持し、保持した画像データに対して画像処理を施すことにより参照用画像に含まれる補助的な情報を消去し、投影用画像を生成する。生成された投影用画像は映像信号としてプロジェクタ２０へ送出され、プロジェクタ２０が画像変換装置３０からの映像信号に基づいて図に示していないスクリーン上に画像を投影することにより投影用画像を表示するように構成されている。
【００２９】
図２は参照用画像及び投影用画像の一例を示す模式図である。前述したように情報処理装置１０ではプレゼンテーションを行う利用者が参照するための参照用画像が作成され、画像変換装置３０では参照用画像に付加されている補助的な情報が消去された投影用画像が生成される。図２（ａ）に示すように参照用画像１００は、利用者が聴講者に対して提示すべき画像を作成する主領域１０１と、利用者自身が参照する画像（情報）を作成する補助領域１０２とにより構成されている。これらの領域１０１，１０２の大きさ、及び配置関係は、予め画像変換装置３０により規定されている。利用者は、前述のアプリケーションプログラムを用いて聴講者に対して提示すべき画像を主領域１０１に作成し、円滑にプレゼンテーションを行うために、提示する内容の説明、要点、注釈等の必要な情報を補助領域１０２に加えておくことができる。更に、主領域１０１にも補助的な情報を加えることができるようにしており、図２（ａ）に示した例では、「Ｐｏｉｎｔ１」と記載した注釈情報１０３ａ、「Ｐｏｉｎｔ２」と記載した注釈情報１０３ｂが加えられている。これらの注釈情報１０３ａ，１０３ｂは、画像変換装置３０にて予め定められた色（ＲＧＢ値等）により作成されている。
【００３０】
画像変換装置３０では、前述した参照用画像１００に基づいて図２（ｂ）に示したような投影用画像２００を生成する。すなわち、画像変換装置３０には主領域１０１及び補助領域１０２の大きさ、配置関係に関する情報が予め記憶されているため、当該情報に基づき参照用画像１００に対してトリミング処理を施すことにより補助領域１０２を消去することができる。また、注釈情報１０３ａ，１０３ｂに対して付すべき色の情報が予め記憶されているため、参照用画像から前記色が付されている画素を検出し、検出された画素の色を予め定めた色（例えば、白色）に置換することによって注釈情報１０３ａ，１０３ｂを背景と同化させて消去することができる。
【００３１】
図３は画像変換装置３０の内部構成を説明するブロック図である。画像変換装置３０は、映像信号入力端子３１、ＡＤ変換器３２、画像メモリ３３、画像処理回路３４、ＲＯＭ３５、ＤＡ変換器３６、及び映像信号出力端子３７を備えている。映像信号入力端子３１には、映像信号ケーブルＣ１を介して情報処理装置１０が接続されており、該情報処理装置１０が出力する映像信号が入力される。映像信号入力端子３１を通じて入力された映像信号はＡＤ変換器３２によってデジタル信号に変換される。なお、情報処理装置１０がデジタル形式の映像信号を出力するようにしている場合にはＡＤ変換器３２を省略することも可能である。
【００３２】
画像メモリ３３は、各画素毎の色情報を記憶する記憶手段であり、ＡＤ変換器３２によってデジタル化された映像信号を各フレーム毎の画像データとして一時的に記憶する。画像処理回路３４は、フィルタリング処理部３４ａ、トリミング処理部３４ｂ、及びリサイズ処理部３４ｃを備えており、画像メモリ３３に一時的に保持された画像データに対して各処理部３４ａ〜３４ｃが夫々フィルタリング処理、トリミング処理、リサイズ処理を施す。ＲＯＭ３５には、各処理に必要な情報が予め記憶されており、画像処理回路３４からの要求に応じて前記情報の読出し処理が行われる。前記情報には、フィルタリング処理で参照される色情報、トリミング処理で参照される領域情報、及びリサイズ処理で参照される表示領域の情報が含まれている。
【００３３】
フィルタリング処理部３４ａは、図２（ａ）に示したような注釈情報１０３ａ，１０３ｂを消去するために色変換を行う。具体的には、ＲＯＭ３５に予め記憶されている変換前後の色情報を読出し、変換前の色情報を有する画素を画像メモリ３３に保持された画像データから検出し、検出された画素の色情報を変換後の色情報により置換する処理を行う。なお、変換後の色情報は、必ずしも予め定めておく必要はなく、例えば、検出された画素の周囲の色情報を取得し、取得した色情報により置換する構成であっても良い。トリミング処理部３４ｂは、図２（ａ）に示した補助領域１０２を消去して主領域１０１に形成された画像のみを残すために画像の切出しを行う。具体的には、ＲＯＭ３５に予め記憶された領域情報として主領域１０１に対応した領域情報を読出し、読出した領域情報に該当する画素の色情報を画像メモリ３３内のバッファに順次書出すことにより切出し処理を行う。リサイズ処理部３４ｃは、トリミング処理部３４ｂにて切出した画像のサイズを元のサイズへ戻すための処理を行う。具体的には、ＲＯＭ３５に予め記憶された表示領域の情報を読出し、画像メモリ３３内のバッファに書出された画像が前記表示領域の大きさとなるように解像度を変更する。解像度の変更には従来の手法を利用することができ、例えば、バイキュービック法、バイリニア法等を利用することができる。
【００３４】
なお、本実施の形態では、画像メモリ３３、画像処理回路３４、及びＲＯＭ３５を個別に設ける構成としたが、これらを一つにまとめた画像処理専用のＡＳＩＣ（Application Specific Integrated Circuit）等を利用する構成であっても良い。
【００３５】
ＤＡ変換器３６は、画像処理回路３４から出力される画像処理後の画像データをアナログ信号に変換し、映像信号として出力する。映像信号出力端子３７には、映像信号ケーブルＣ２を介してプロジェクタ２０が接続されており、ＤＡ変換器３６が出力する映像信号をプロジェクタ２０へ送出する。
【００３６】
図４は画像変換装置３０が実行する処理の手順を説明するフローチャートである。画像変換装置３０は、まず、情報処理装置１０が出力する映像信号を取込み（ステップＳ１）、ＡＤ変換器３２によりデジタル変換し、デジタル変換して得られた画像データを画像メモリ３３に保持させる。次いで、画像処理回路３４のフィルタリング処理部３４ａは、ＲＯＭ３５から読出した色情報に基づいてフィルタリング処理を実行し（ステップＳ２）、参照用画像に付加えられた注釈情報を消去する。次いで、画像処理回路３４のトリミング処理部３４ｂは、ＲＯＭ３５から読出した領域情報に基づいてトリミング処理を実行し（ステップＳ３）、参照用画像のうち主領域に対応する画像を切出して補助領域に作成された各種の情報を消去する。次いで、画像処理回路３４のリサイズ処理部３４ｃは、ＲＯＭ３５から読出した表示領域に関する情報に基づいてリサイズ処理を実行し（ステップＳ４）、トリミング処理により縮小された画像のサイズを拡大する。リサイズ処理された後の画像のデータは、ＤＡ変換器３６によってアナログ形式に変換され、映像信号出力端子３７からプロジェクタ２０へ出力される（ステップＳ５）。
なお、本フローチャートにおいては、フィルタリング処理を先に実行した後にトリミング処理を実行するようにしているが、これらの処理の順序は逆転しても良く、トリミング処理を先に実行した後にフィルタリング処理を実行する構成であっても良いことは勿論のことである。
【００３７】
また、本実施の形態では、参照用画像から特定の色を有する画素を検出し、検出した画素の色を白色等の特定の色により変換することでフィルタリング処理を実行する構成としたが、文字認識、図形認識等の手法を利用して鍵括弧等の特定の記号が付加された画像、楕円、四角等で囲まれた画像を検出し、検出した画像を色変換により消去する構成であっても良い。
【００３８】
また、本実施の形態では、映像信号入力端子３１と映像信号出力端子３７とを各１つずつ設ける構成としたが、複数種の映像信号を入出力するために複数の映像信号入出力端子を設ける構成であっても良いことは勿論である。
【００３９】
また、本実施の形態では、情報処理装置１０から出力された映像信号を画像変換装置３０を介してプロジェクタ２０に送出し、該プロジェクタ２０がスクリーン上に画像を投影することにより画像変換装置３０が生成した投影用画像を表示する構成であったが、表示装置としては必ずしもプロジェクタ２０に限定する必要はなく、ＣＲＴディスプレイ装置（CRT : Cathode Ray Tube）、液晶ディスプレイ装置、ＰＤＰディスプレイ装置（PDP : Plasma Display Panel）等の表示装置を利用するようにしても良いことは勿論のことである。
【００４０】
実施の形態２．
実施の形態１では、情報処理装置１０とプロジェクタ２０との間に画像変換装置３０を設ける構成であったが、画像変換装置３０の代わりに映像信号の出力端子を備えるＰＣＭＣＩＡカード（PCMCIA : Personal Computer Memory Card International Association）を利用することも可能である。情報処理装置１０が、映像信号の出力端子を備えていない場合であっても、ＰＣＭＣＩＡ規格のカードスロットを備えている場合には、前記ＰＣＭＣＩＡカードを利用することにより、利用者によって付加された補助的な情報を消去した後、映像信号をプロジェクタ２０へ送出することが可能となる。
【００４１】
図５は本実施の形態に係る情報処理装置１０及びＰＣＭＣＩＡカード４０の内部構成を説明するブロック図である。情報処理装置１０は、マザーボード１１、モニタモジュール１２、及びＰＣＭＣＩＡバス端子１３を備えている。マザーボード１１はＣＰＵ、ＲＯＭ、ＲＡＭ等を備えており、モニタモジュール１２は液晶パネル、液晶パネル制御信号生成部、バックライト等を備えている（不図示）。マザーボード１１に搭載されたＣＰＵは、ＲＯＭに格納された制御プログラムを実行することで映像信号を生成し、生成した映像信号をモニタモジュール１２へ送出するようにしている。モニタモジュール１２では、マザーボード１１から送出された映像信号を液晶パネルの制御用信号へと変換し、変換した制御用信号を用いて液晶パネルを駆動するようにしている。
また、マザーボード１１は、生成した映像信号をＰＣＭＣＩＡバス規格に準じたバス信号に変換し、変換したバス信号をＰＣＭＣＩＡバス端子１３を通じてＰＣＭＣＩＡカード４０へ送出する。
【００４２】
ＰＣＭＣＩＡカード４０は、ＰＣＭＣＩＡバス端子４１、信号処理回路４２、画像メモリ４３、画像処理回路４４、ＲＯＭ４５、ＤＡ変換器４６、及び映像信号出力端子４７を備えている。ＰＣＭＣＩＡバス端子４１に入力された情報処理装置１０からのバス信号は、信号処理回路４２によって映像信号に変換され、変換された映像信号は各フレーム毎の画像データとして画像メモリ４３に一時的に保持される。画像処理回路４４は、フィルタリング処理部４４ａ、トリミング処理部４４ｂ、及びリサイズ処理部４４ｃを備えており、ＲＯＭ４５に予め記憶された色情報、領域情報等の情報に基づいてフィルタリング処理、トリミング処理、及びリサイズ処理を実行する。なお、各処理内容については実施の形態１と同様であるため、その説明を省略することとする。画像処理回路４４にて各処理が施された画像データは、ＤＡ変換器４６によりアナログ信号に変換され、映像信号出力端子４７から外部へ出力される。
【００４３】
実施の形態３．
実施の形態１では、画像変換装置３０がフィルタリング処理、トリミング処理、及びリサイズ処理を実行する際、ＲＯＭ３５に予め記憶された各種の情報に基づいて各処理を実行する構成であったが、これらの情報は外部から制御することによって任意に設定できるようにすることも可能である。本実施の形態では、情報処理装置１０からの制御により画像変換装置３０に予め記憶された情報を変更する形態について説明する。
【００４４】
図６は本実施の形態に係る情報処理装置１０及び画像変換装置５０の内部構成を説明するブロック図である。情報処理装置１０は、マザーボード１１、モニタモジュール１２、映像信号出力端子１４、及びＵＳＢ端子１５（USB : Universal Serial Bus）を備えている。マザーボード１１は図に示していないＣＰＵ、ＲＯＭ、ＲＡＭ等を備えており、マザーボード１１にて生成された映像信号がモニタモジュール１２及び映像信号出力端子１４に送出される。モニタモジュール１２では、マザーボード１１からの映像信号に基づいて液晶パネル等の表示装置（不図示）を制御する制御用信号を生成し、表示装置を駆動することによって前記映像信号に基づく映像を表示する。
【００４５】
一方、映像信号出力端子１４に送出された映像信号は画像変換装置５０に送出される。送出された映像信号は、画像変換装置５０の映像信号入力端子５１に入力され、ＡＤ変換器５２によってデジタル変換された後に画像メモリ５３によって画像データとして保持される。画像処理回路５４は、フィルタリング処理部５４ａ、トリミング処理部５４ｂ、及びリサイズ処理部５４ｃを備えており、ＲＡＭ５５に記憶されている色情報、領域情報等の情報に基づいてフィルタリング処理、トリミング処理、及びリサイズ処理を実行する。なお、各処理内容については実施の形態１と同様であるため、その説明を省略することとする。画像処理回路５４にて各処理が施された画像データは、ＤＡ変換器５６によりアナログ信号に変換され、映像信号出力端子５７から外部へ出力される。
【００４６】
また、情報処理装置１０では、図に示していないキーボード、マウス等の操作部を通じてＲＡＭ５５の内容を変更するための情報を受付けることができ、マザーボード１１はＲＡＭ５５の書換えを指示する制御信号を生成し、ＵＳＢ端子１５を通じて生成した制御信号を外部へ出力する。ＵＳＢ端子１５から出力された制御信号は、ＵＳＢケーブルを通じて画像変換装置５０に備えられたＵＳＢ端子５８に入力される。ＵＳＢ端子５８に入力された制御信号に基づいてＣＰＵ５９がＲＡＭ５５の内容を書換えることにより、フィルタリング処理、トリミング処理、及びリサイズ処理の各処理で使用される情報が変更される。
【００４７】
このように本実施の形態では、情報処理装置１０側から画像変換装置５０のＲＡＭ５５に記憶された内容を書換えるようにしているが、画像変換装置５０にキーボード又は各種スイッチ等の操作部を設け、該操作部を通じてＲＡＭ５５に記憶された内容を書換えるための情報を受付けるようにしても良い。
【００４８】
実施の形態４．
前述した実施の形態では、情報処理装置１０とプロジェクタ２０との間に情報処理装置１０から出力される画像を変換するための装置（画像変換装置３０，５０、及びＰＣＭＣＩＡカード４０）を接続し、当該装置にて変換した画像をプロジェクタ２０によりスクリーン上に投影する構成であったが、画像変換する機能をプロジェクタに持たせることも可能である。本実施の形態では、情報処理装置１０から出力される映像信号をプロジェクタ内部にて変換し、変換して得られた映像をスクリーン上に投影する形態について説明する。
【００４９】
図７は本実施の形態に係る表示システムの構成を示す模式図である。図中１０は、パーソナルコンピュータ等の情報処理装置であり、該情報処理装置１０には映像信号ケーブルＣを介してプロジェクタ２１が接続されている。利用者は情報処理装置１０に予めインストールされているプレゼンテーション用のアプリケーションプログラムを利用することにより参照用画像を作成することができる。参照用画像にはプレゼンテーションのときに参照する補助的な情報を含めることができる。情報処理装置１０は、作成された参照用画像のデータに基づいて映像信号を生成し、生成した映像信号を自身が備えるモニタモジュール（不図示）に送出して参照用画像をモニタに表示すると共に、前記映像信号を映像信号ケーブルＣを介してプロジェクタ２１に送出する。プロジェクタ２１では、情報処理装置１０からの映像信号を各フレーム毎の画像データとして一時的に保持し、保持した画像データに対して画像処理を施すことにより参照用画像に含まれる補助的な情報を消去し、投影用画像を生成する。そして、生成した投影用画像をスクリーン上に投影することにより、前記利用者自身が参照する補助的な情報が消去された画像を表示することができる。
【００５０】
図８はプロジェクタ２１の内部構成を説明するブロック図である。本実施の形態に係るプロジェクタ２１は、画像変換に係るハードウェアとして、映像信号入力端子２１１、ＡＤ変換器２１２、画像メモリ２１３、画像処理回路２１４、ＲＯＭ２１５、及びタイミングジェネレータ２１６（以下、ＴＧ２１６と称する）を備えている。また、入力された画像をスクリーンＳ上に投影するためのハードウェアとして、液晶パネル２１７、電源２１８、安定器２１９、照明ランプ２２０、冷却装置２２１、及び投射レンズ２２２を備えている。
【００５１】
情報処理装置１０から出力された映像信号は映像信号ケーブルＣを介して映像信号入力端子２１１に入力され、ＡＤ変換器２１２によってデジタル形式に変換された後に画像メモリ２１３にて一時的に保持される。画像処理回路２１４は、フィルタリング処理部２１４ａ、トリミング処理部２１４ｂ、及びリサイズ処理部２１４ｃを備えており、画像メモリ２１３に保持された画像データに対して画像処理を施す。すなわち、各処理部２１４ａ〜２１４ｃは、ＲＯＭ２１５に予め記憶された色情報、領域情報等の情報に基づいてフィルタリング処理、トリミング処理、及びリサイズ処理を施すことにより、参照用画像に含まれている補助的な情報を消去し投影用画像を生成する。画像処理回路２１４は生成した投影用画像に基づく映像信号を生成してＴＧ２１６に送出する。ＴＧ２１６では、入力された映像信号に基づいて液晶パネル２１７を駆動するための駆動制御信号を生成し、液晶パネル２１７に送出する。
【００５２】
液晶パネル２１７に対して照明ランプ２２０が高輝度の照明光を照射するために、該照明ランプ２２０には安定器２１９を介した電源２１８が接続されている。安定器２１９は電源のオン・オフを制御すると共に、電源２１８を一旦昇圧後、電圧を可変して一定の電力を保持することにより照明ランプ２２０の輝度を安定化させている。また、照明ランプ２２０の近傍には冷却装置２２１が設けられており、照明ランプ２２０の放熱を抑えるようにしている。液晶パネル２１７に照射された照明光を投射レンズ２２２によって投影することにより投影用画像をスクリーンＳ上に表示する。
【図面の簡単な説明】
【００５３】
【図１】本実施の形態に係る表示システムの構成を示す模式図である。
【図２】参照用画像及び投影用画像の一例を示す模式図である。
【図３】画像変換装置の内部構成を説明するブロック図である。
【図４】画像変換装置が実行する処理の手順を説明するフローチャートである。
【図５】本実施の形態に係る情報処理装置及びＰＣＭＣＩＡカードの内部構成を説明するブロック図である。
【図６】本実施の形態に係る情報処理装置及び画像変換装置の内部構成を説明するブロック図である。
【図７】本実施の形態に係る表示システムの構成を示す模式図である。
【図８】プロジェクタの内部構成を説明するブロック図である。
【符号の説明】
【００５４】
１０  情報処理装置
２０，２１  プロジェクタ
３０，４０，５０  画像変換装置
３１  映像信号入力端子
３２  ＡＤ変換器
３３  画像メモリ
３４  画像処理回路
３４ａ  フィルタリング処理部
３４ｂ  トリミング処理部
３４ｃ  リサイズ処理部
３５  ＲＯＭ
３６  ＤＡ変換器
３７  映像信号出力端子
【図１】
2005115093.tif 000003
【図２】
2005115093.tif 000004
【図３】
2005115093.tif 000005
【図４】
2005115093.tif 000006
【図５】
2005115093.tif 000007
【図６】
2005115093.tif 000008
【図７】
2005115093.tif 000009
【図８】
2005115093.tif 000010